(57)【要約】【課題】画像表示端末で複雑なＨＴＭＬ等の言語を解析することなくホームページの閲覧を可能とする。【解決手段】ホームページ作成端末１００で作成されたホームページは、ネットワーク４００を介して変換業者システム２００に送信され、ページ毎に圧縮ページ画像データとして画像圧縮されてＨＴＭＬ変換情報とともに登録される。画像表示端末３００からホームページ閲覧要求を発行すると、変換業者システム２００から圧縮ページ画像データがＨＴＭＬ変換情報とともにネットワーク４００を介して画像表示端末３００に送信され、ホームページが画像表示端末３００に表示される。【選択図】  図１
2004246565.tif 000002
【特許請求の範囲】
【請求項１】
変換業者システムへのホームページ登録要求を行い、登録した結果得られたユーザＩＤおよびパスワードを保存するホームページ作成端末と、
前記変換業者システムへのホームページ閲覧要求を行い、前記変換業者システムから受信した圧縮ページ画像データおよびＨＴＭＬ変換情報に基づいてホームページを表示する画像表示端末と、
前記ホームページ作成端末からホームページ登録要求があったときに前記ホームページを圧縮ページ画像データおよびＨＴＭＬ変換情報として蓄積し、前記画像表示端末からホームページ閲覧要求があったときに蓄積された圧縮ページ画像データおよびＨＴＭＬ変換情報を前記画像表示端末に送信する変換業者システムと、
前記ホームページ作成端末，前記変換業者システムおよび前記画像表示端末間を接続するネットワークと
を有することを特徴とする画像表示端末による簡易ホームページ閲覧システム。
【請求項２】
前記ホームページ作成端末が、ホームページ登録要求の際にホームページを指定された画像圧縮形式で圧縮変換することを特徴とする請求項１記載の画像表示端末による簡易ホームページ閲覧システム。
【請求項３】
前記変換業者システムが、入力フォームやラジオボタンが存在するページであることを認識するとＨＴＭＬ変換情報にインデックスを設けた拡張ＨＴＭＬ変換情報を圧縮ページ画像データとともに前記画像表示端末に送信し、前記画像表示端末が、圧縮ページ画像データを受信したときに拡張ＨＴＭＬ変換情報に入力フォームやラジオボタンのインデックスがあることを認識するとユーザ入力を受け付けて入力フォームやラジオボタンにユーザ入力データが反映されたホームページを表示することを特徴とする請求項１記載の画像表示端末による簡易ホームページ閲覧システム。
【請求項４】
変換業者システムへＵＲＬを送信してホームページ閲覧要求を行い、前記変換業者システムから受信した圧縮ページ画像データおよびＨＴＭＬ変換情報に基づいてホームページを表示する画像表示端末と、
前記画像表示端末からホームページ閲覧要求があったときにＵＲＬで指定されたホームページをダウンロードして前記画像表示端末に合った画像圧縮形式に変換して圧縮ページ画像データおよびＨＴＭＬ変換情報を前記画像表示端末に送信する変換業者システムと、
前記変換業者システムおよび前記画像表示端末間を接続するネットワークと
を有することを特徴とする画像表示端末による簡易ホームページ閲覧システム。
【請求項５】
ホームページ作成端末からホームページ登録要求があったときにホームページを圧縮ページ画像データおよびＨＴＭＬ変換情報として蓄積し、画像表示端末からホームページ閲覧要求があったときに蓄積された圧縮ページ画像データおよびＨＴＭＬ変換情報を前記画像表示端末に送信することを特徴とする変換業者システム。
【請求項６】
入力フォームやラジオボタンが存在するページであることを認識するとＨＴＭＬ変換情報にインデックスを設けた拡張ＨＴＭＬ変換情報を圧縮ページ画像データとともに前記画像表示端末に送信することを特徴とする請求項５記載の変換業者システム。
【請求項７】
画像表示端末からホームページ閲覧要求があったときにＵＲＬで指定されたホームページをダウンロードして前記画像表示端末に合った画像圧縮形式に変換して圧縮ページ画像データおよびＨＴＭＬ変換情報を前記画像表示端末に送信することを特徴とする変換業者システム。
【請求項８】
コンピュータに、ホームページ作成端末からホームページ登録要求があったときにホームページを圧縮ページ画像データおよびＨＴＭＬ変換情報として蓄積する処理と、画像表示端末からホームページ閲覧要求があったときに蓄積された圧縮ページ画像データおよびＨＴＭＬ変換情報を画像表示端末に送信する処理とを実行させることを特徴とするプログラム。
【請求項９】
ホームページが入力フォームやラジオボタンが存在するページであることを認識するとＨＴＭＬ変換情報にインデックスを設けた拡張ＨＴＭＬ変換情報を圧縮ページ画像データとともに前記画像表示端末に送信することを特徴とする請求項８記載のプログラム。
【請求項１０】
コンピュータに、画像表示端末からホームページ閲覧要求があったときにＵＲＬで指定されたホームページをダウンロードする処理と、ダウンロードされたホームページを前記画像表示端末に合った画像圧縮形式に変換して圧縮ページ画像データおよびＨＴＭＬ変換情報を前記画像表示端末に送信する処理とを実行させることを特徴とするプログラム。
【発明の詳細な説明】
【０００１】
本発明は画像表示端末による簡易ホームページ閲覧システムに関し、特にネットワークへの接続機能および画像の表示機能は有するが、ＨＴＭＬ（ＨｙｐｅｒＴｅｘｔ  Ｍａｒｋｕｐ  Ｌａｎｇｕａｇｅ）を解釈する機能を持たない画像表示端末による簡易ホームページ閲覧システムに関する。
【０００２】
【従来の技術】
現在、インターネットの普及に伴い、ネットワーク上にはホームページという形で大変有益な情報があふれている。そういった情報は、主にパーソナルコンピュータや携帯電話機のインターネット接続機能を用いて得られてきた。近年、携帯端末や情報家電といったパーソナルコンピュータ以外の情報機器でインターネットに接続するケースが増えている。そういった独自の機能を持った端末は、特定のサーバに接続してその端末にあった目的の情報を得る、または送られてくるといった使い方がなされている（例えば、特許文献１，特許文献２，特許文献３参照）。
【０００３】
【特許文献１】
特開２００２―０６３１０８号公報（第１３頁、図１）
【特許文献２】
特開２００２―０７３４６６号公報（第７―８頁、図３）
【特許文献３】
特開２００２―２０２９３６号公報（第７−８頁、図１）
【０００４】
【発明が解決しようとする課題】
上述した従来の技術では、独自の機能を持った端末が特定のサーバに接続してその端末にあった目的のホームページを閲覧するため、端末のコストアップにつながるという問題点があった。その理由は、各端末でＨＴＭＬを解析する機能を持たなければならなかったからである。
【０００５】
加えて、端末の購入に際して専用のコンテンツのみを閲覧することしかできないので、今一つユーザの端末を購入しようとする意欲をかき立てることができないという問題点があった。
【０００６】
また、ホームページは、基本的には閲覧したいユーザがホームページの所在を何らかの方法で得ることがなければ閲覧することができないので、ホームページ作成者は如何にしてコンテンツの知名度を上げるかが課題であった。
【０００７】
本発明の目的は、ネットワーク接続機能および画像表示機能を持つが、ＨＴＭＬ解釈機能を持たない端末（以下、画像表示端末という）で、複雑なＨＴＭＬ等の言語を解析することなく、リンク情報などの簡単なデータと画像表示端末自身が表示することができる圧縮ページ画像データによりホームページの閲覧が可能な画像表示端末による簡易ホームページ閲覧システムを提供することにある。
【０００８】
また、本発明の他の目的は、安価な画像表示端末でホームページを閲覧することができるので、ホームページ作成者が作成したコンテンツを多くのユーザに伝えることができる画像表示端末による簡易ホームページ閲覧システムを提供することにある。
【０００９】
【課題を解決するための手段】
本発明の画像表示端末による簡易ホームページ閲覧システムは、変換業者システムへのホームページ登録要求を行い、登録した結果得られたユーザＩＤおよびパスワードを保存するホームページ作成端末と、前記変換業者システムへのホームページ閲覧要求を行い、前記変換業者システムから受信した圧縮ページ画像データおよびＨＴＭＬ変換情報に基づいてホームページを表示する画像表示端末と、前記ホームページ作成端末からホームページ登録要求があったときに前記ホームページを圧縮ページ画像データおよびＨＴＭＬ変換情報として蓄積し、前記画像表示端末からホームページ閲覧要求があったときに蓄積された圧縮ページ画像データおよびＨＴＭＬ変換情報を前記画像表示端末に送信する変換業者システムと、前記ホームページ作成端末，前記変換業者システムおよび前記画像表示端末間を接続するネットワークとを有することを特徴とする。
【００１０】
また、本発明の画像表示端末による簡易ホームページ閲覧システムは、前記ホームページ作成端末が、ホームページ登録要求の際にホームページを指定された画像圧縮形式で圧縮変換することを特徴とする。
【００１１】
さらに、本発明の画像表示端末による簡易ホームページ閲覧システムは、前記変換業者システムが、入力フォームやラジオボタンが存在するページであることを認識するとＨＴＭＬ変換情報にインデックスを設けた拡張ＨＴＭＬ変換情報を圧縮ページ画像データとともに前記画像表示端末に送信し、前記画像表示端末が、圧縮ページ画像データを受信したときに拡張ＨＴＭＬ変換情報に入力フォームやラジオボタンのインデックスがあることを認識するとユーザ入力を受け付けて入力フォームやラジオボタンにユーザ入力データが反映されたホームページを表示することを特徴とする。
【００１２】
さらにまた、本発明の画像表示端末による簡易ホームページ閲覧システムは、変換業者システムへＵＲＬを送信してホームページ閲覧要求を行い、前記変換業者システムから受信した圧縮ページ画像データおよびＨＴＭＬ変換情報に基づいてホームページを表示する画像表示端末と、前記画像表示端末からホームページ閲覧要求があったときにＵＲＬで指定されたホームページをダウンロードして前記画像表示端末に合った画像圧縮形式に変換して圧縮ページ画像データおよびＨＴＭＬ変換情報を前記画像表示端末に送信する変換業者システムと、前記変換業者システムおよび前記画像表示端末間を接続するネットワークとを有することを特徴とする。
【００１３】
一方、本発明の変換業者システムは、ホームページ作成端末からホームページ登録要求があったときにホームページを圧縮ページ画像データおよびＨＴＭＬ変換情報として蓄積し、画像表示端末からホームページ閲覧要求があったときに蓄積された圧縮ページ画像データおよびＨＴＭＬ変換情報を前記画像表示端末に送信することを特徴とする。
【００１４】
また、本発明の変換業者システムは、入力フォームやラジオボタンが存在するページであることを認識するとＨＴＭＬ変換情報にインデックスを設けた拡張ＨＴＭＬ変換情報を圧縮ページ画像データとともに前記画像表示端末に送信することを特徴とする。
【００１５】
さらに、本発明の変換業者システムは、画像表示端末からホームページ閲覧要求があったときにＵＲＬで指定されたホームページをダウンロードして前記画像表示端末に合った画像圧縮形式に変換して圧縮ページ画像データおよびＨＴＭＬ変換情報を前記画像表示端末に送信することを特徴とする。
【００１６】
他方、本発明のプログラムは、コンピュータに、ホームページ作成端末からホームページ登録要求があったときにホームページを圧縮ページ画像データおよびＨＴＭＬ変換情報として蓄積する処理と、画像表示端末からホームページ閲覧要求があったときに蓄積された圧縮ページ画像データおよびＨＴＭＬ変換情報を画像表示端末に送信する処理とを実行させることを特徴とする。
【００１７】
また、本発明のプログラムは、ホームページが入力フォームやラジオボタンが存在するページであることを認識するとＨＴＭＬ変換情報にインデックスを設けた拡張ＨＴＭＬ変換情報を圧縮ページ画像データとともに前記画像表示端末に送信することを特徴とする。
【００１８】
さらに、本発明のプログラムは、コンピュータに、画像表示端末からホームページ閲覧要求があったときにＵＲＬで指定されたホームページをダウンロードする処理と、ダウンロードされたホームページを前記画像表示端末に合った画像圧縮形式に変換して圧縮ページ画像データおよびＨＴＭＬ変換情報を前記画像表示端末に送信する処理とを実行させることを特徴とする。
【００１９】
本発明によれば、ＨＴＭＬを解釈する機能を持たない画像表示端末において、ホームページを閲覧する機能を実現することが可能である。加えて、インターネット上にある無数のコンテンツを閲覧するユーザの拡大を図り、コンテンツ作成者と変換業者との利益の拡大を図ることが可能である。
【００２０】
【発明の実施の形態】
以下、本発明の実施の形態について図面を参照しながら詳細に説明する。
【００２１】
［第１の実施の形態］
図１は、本発明の第１の実施の形態に係る画像表示端末による簡易ホームページ閲覧システムの構成を示すブロック図である。本実施の形態に係る画像表示端末による簡易ホームページ閲覧システムは、ホームページ作成端末１００と、変換業者システム２００と、画像表示端末３００と、インターネット等のネットワーク４００とから、その主要部が構成されている。
【００２２】
図２は、ホームページ作成端末１００のより詳細な構成を示すブロック図である。ホームページ作成端末１００は、生成部１０１と、接続部１０２と、登録申請部１０３と、支払い部１０４とを有する。
【００２３】
生成部１０１は、接続部１０２に接続されていて、ＨＴＭＬによりホームページを作成する機能を有する。詳しくは、複数葉のページ群からなり、ページ間がリンクにより連結されたホームページを生成する。以下、ホームページの先頭に表示されるページを先頭ページという。
【００２４】
接続部１０２は、ネットワーク４００に接続されているとともに、生成部１０１，登録申請部１０３および支払い部１０４に接続されている。接続部１０２は、変換業者システム２００への接続要求を発行する機能と、要求内容を解釈して生成部１０１，登録申請部１０３および支払い部１０４に処理を依頼する機能と、生成部１０１，登録申請部１０３および支払い部１０４の処理結果を変換業者システム２００に送信する機能とを有する。
【００２５】
登録申請部１０３は、接続部１０２に接続されていて、接続部１０２に対して変換業者システム２００への接続を要求する機能と、接続部１０２に対して変換業者システム２００への解約を要求する機能と、接続応答を接続部１０２から受け取る機能と、変換業者システム２００へのホームページの登録申請の手続きを行う機能と、登録した結果得られたユーザＩＤおよびパスワードを保存する機能とを有する。
【００２６】
支払い部１０４は、接続部１０２に接続されていて、接続部１０２に対して変換業者システム２００への接続を要求する機能と、接続応答を接続部１０２から受け取る機能と、変換業者システム２００の支払い要求に応じた金額を支払う機能とを有する。支払いに使用する決済手段としては、クレジットカード，電子マネー等が考えられるが、その手段の如何は問わない。
【００２７】
図３は、変換業者システム２００のより詳細な構成を示すブロック図である。変換業者システム２００は、変換サーバ２０１と、登録部２０２と、ユーザ登録データベース２０３と、変換部２０４と、変換データベース２０５と、請求部２０６とを有する。
【００２８】
変換サーバ２０１は、ネットワーク４００に接続され、登録部２０２，変換部２０４および請求部２０６に接続されている。変換サーバ２０１は、ホームページ作成端末１００および画像表示端末３００からの接続要求を受け、要求内容を解釈して登録部２０２，変換部２０４および請求部２０６のそれぞれへ処理を依頼する機能と、登録部２０２，変換部２０４および請求部２０６のそれぞれからホームページ作成端末１００および画像表示端末３００への接続要求に応じて実行する機能と、ホームページ作成端末１００および画像表示端末３００から送信されたデータを登録部２０２，変換部２０４および請求部２０６のそれぞれに渡す機能と、登録部２０２，変換部２０４および請求部２０６のそれぞれから送信されたデータをホームページ作成端末１００および画像表示端末３００へ送信する機能とを有する。また、変換サーバ２０１は、ユーザの照会を登録部２０２に要求して結果を受信する機能を有する。さらに、変換サーバ２０１は、結果が登録済みであれば接続を受け入れ、未登録であれば接続を拒絶する機能を有する。
【００２９】
登録部２０２は、変換サーバ２０１に接続されていて、ユーザ登録データをユーザ登録データベース２０３に保存する機能と、ユーザＩＤおよびパスワードを変換サーバ２０１へ送信する機能と、ユーザ登録データベース２０３からユーザ登録データを検索し接続要求者が登録済みかどうかを変換サーバ２０１に通知する機能と、接続回数をカウントしてユーザ毎にユーザ登録データ上で管理する機能と、登録抹消要求に応じてユーザ登録データベース２０３からユーザ登録データを削除する機能とを有する。また、登録部２０２は、変換部２０４からのＨＴＭＬデータ変更通知により、ユーザ登録データのＨＴＭＬ変換情報のファイル名を更新する機能とを有する。
【００３０】
図５は、ユーザ登録データベース２０３のユーザ登録データの内容を示す図である。ユーザ登録データは、ユーザ名，ユーザＩＤ，パスワード，登録日，契約更新日，画像サイズ，１ヶ月間の接続回数，登録されたホームページの先頭ページを表すＨＴＭＬ変換情報のファイル名等からなる。
【００３１】
変換部２０４は、変換サーバ２０１を通して受け取ったホームページを構成する各ページのＨＴＭＬデータを変換データベース２０５に保存する機能と、変換データベース２０５内のＨＴＭＬデータからＨＴＭＬ変換情報を作成して変換データベース２０５に保存する機能と、指定されたページ分のＨＴＭＬデータを指定された画像圧縮形式の圧縮ページ画像データに圧縮変換する機能と、ＨＴＭＬデータの更新を行った場合に登録日，画像サイズおよびＨＴＭＬ変換情報のファイル名を登録部２０２に通知する機能と、圧縮ページ画像データおよびＨＴＭＬ変換情報を変換サーバ２０１へ送信する機能と、指定された圧縮ページ画像データおよびＨＴＭＬ変換情報を変換サーバ２０１に対して画像表示端末３００へ送信要求する機能とを有する。変換部２０４は、トップデータ，ＨＴＭＬ変換情報，ＨＴＭＬデータ，および変換された圧縮ページ画像データの４つのデータを変換して変換データベース２０５に蓄積する。
【００３２】
変換データベース２０５には、トップデータ，各ユーザのホームページを構成する各ページのＨＴＭＬデータ，各ページのＨＴＭＬデータのＨＴＭＬ変換情報，および各ページのＨＴＭＬデータが圧縮変換された圧縮ページ画像データが格納されている。トップデータは、ＨＴＭＬデータ，圧縮ページ画像データ，ＨＴＭＬデータから抽出したＨＴＭＬ変換情報，およびホームページ作成端末１００毎の先頭画像情報をまとめて保存される。
【００３３】
図６を参照すると、トップデータは、ホームページを登録しているユーザの名前（ユーザ名）と、ＨＴＭＬ変換情報とを要素とするリストで構成されている。
【００３４】
図７を参照すると、ＨＴＭＬ変換情報は、ホームページを構成する各ページのＨＴＭＬデータ毎に１つ存在し、圧縮ページ画像データに圧縮変換する元となったＨＴＭＬデータの名前（ＨＴＭＬ名）と、先頭ページからのページ番号と、ファイル内ページ番号と、圧縮ページ画像データのファイル名と、当該ページにリンクされる圧縮ページ画像データのファイル名およびファイル内ページ番号を要素とするリストとで構成されている。
【００３５】
図８は、圧縮ページ画像データの構造を説明する図である。圧縮ページ画像データは、画像圧縮形式と、圧縮ページ画像データのサイズと、圧縮ページ画像データを作成した日付（作成日）と、圧縮ページ画像データ本体とから構成されている。画像圧縮形式には、ＪＰＥＧ（Ｊｏｉｎｔ  Ｐｈｏｔｏｇｒａｐｈｉｃ  Ｅｘｐｅｒｔｓ  Ｇｒｏｕｐ），ＪＰＥＧ２０００，ＴＩＦＦ（Ｔａｇｇｅｄ  Ｉｍａｇｅ  Ｆｉｌｅ  Ｆｏｒｍａｔ），ＧＩＦ（Ｇｒａｐｈｉｃｓ  Ｉｎｔｅｒｃｈａｎｇｅ  Ｆｏｒｍａｔ）等がある。
【００３６】
請求部２０６は、定期的に登録部２０２にアクセスし、ユーザ登録データベース２０３に登録されているユーザ（ホームページ作成者）に対して登録料を算出する機能と、ユーザ登録データベース２０３に登録されているユーザ（ホームページ閲覧者）に対して接続回数に応じて閲覧料を算出する機能とを有する。
【００３７】
図４は、画像表示端末３００のより詳細な構成を示すブロック図である。画像表示端末３００は、接続部３０１と、復号部３０２と、副情報解析部３０３と、結合部３０５と、表示部３０７と、入力部３０８と、圧縮ページ画像データを保存する圧縮ページ画像データファイル３０６と、副情報解析データを保存する副情報解析データファイル３０４とを有する。
【００３８】
画像表示端末３００は、ＪＰＥＧ，ＪＰＥＧ２０００，ＴＩＦＦ（ＴａｇｇｅｄＩｍａｇｅ  Ｆｉｌｅ  Ｆｏｒｍａｔ），ＧＩＦ（Ｇｒａｐｈｉｃｓ  Ｉｎｔｅｒｃｈａｎｇｅ  Ｆｏｒｍａｔ）等の蓄積符号の圧縮ページ画像データをＲＧＢ形式のページ画像データに復号して表示することができる。ＪＰＥＧ２０００，ＴＩＦＦを画像圧縮形式とする圧縮ページ画像データは、１つのファイルで複数ページ分のページ画像データを圧縮することができる。ＪＰＥＧ，ＧＩＦ等で１ファイルに１ページ画像で圧縮した場合、トップページから数えてページ番号は１，２，３，４，…と１ずつ増える。また、マルチページ対応のもので、たとえば３ページずつのファイルであれば、ページ番号は、１，４，７，…と増えていく。このようにすることで、画像表示端末３００は、必要なページがどこのファイルに存在するかを知ることができる。
【００３９】
接続部３０１は、ネットワーク４００に接続され、復号部３０２，副情報解析部３０３および結合部３０５に接続されている。接続部３０１は、接続要求を変換業者システム２００に出す機能と、入力部３０８から得られたユーザＩＤおよびパスワードを変換業者システム２００に送信する機能と、圧縮ページ画像データを結合部３０５へ渡す機能と、トップデータおよびＨＴＭＬ変換情報を副情報解析部３０４へ渡す機能とを有する。
【００４０】
復号部３０２は、圧縮ページ画像データファイル３０６の圧縮ページ画像データをＲＧＢ形式のページ画像データに復号して結合部３０５へ渡す機能と、複数ページある圧縮ページ画像データを展開する場合に指定されたページ番号の画像のみを展開する機能とを有する。
【００４１】
副情報解析部３０３は、接続部３０１，副情報解析データファイル３０４，および結合部３０５に接続される。副情報解析部３０３は、得られたトップデータおよびＨＴＭＬ変換情報を解析して副情報解析データを副情報解析データファイル３０４に保存する機能と、トップデータおよびＨＴＭＬ変換情報を結合部３０５へ渡す機能と、結合部３０５を通して入力部３０８から得られたリンクの飛び先を解析する機能と、復号部３０２に対して圧縮ページ画像データのページ番号を通知する機能と、接続部３０１に対して圧縮ページ画像データおよびＨＴＭＬ変換情報の転送を要求する機能とを有する。
【００４２】
図９は、副情報解析データファイル３０４に保存される副情報解析データの内容を示す図である。副情報解析データは、元データのＨＴＭＬ名と、ページ番号と、ファイル内ページ番号と、圧縮ページ画像データのファイル名およびファイル内ページ番号のリンクと、ダウンロード済みかどうかを示す状態と、次の副情報解析データのファイル名とから構成されている。副情報解析データは、図７に示したＨＴＭＬ変換情報のリストを構成するもので、ページ番号の順に次のファイルにＨＴＭＬ変換情報を連結していき、ダウンロード済みかどうかを状態によって表す。
【００４３】
結合部３０５は、接続部３０１，復号部３０２，副情報解析部３０３，圧縮ページ画像データファイル３０６，表示部３０７および入力部３０８に接続される。結合部３０５は、接続部３０１から得られた圧縮ページ画像データを圧縮ページ画像データファイル３０６に保存する機能と、復号部３０２に圧縮ページ画像データを転送し復号を要求する機能と、復号されたページ画像データおよびＨＴＭＬ変換情報のリンクを表示部３０７へ転送する機能と、入力部３０８から得た圧縮ページ画像データのファイル名を副情報解析部３０３に転送する機能と、トップデータを表示部３０７へ転送する機能とを有する。
【００４４】
表示部３０７は、結合部３０５から得た圧縮ページ画像データ，ＨＴＭＬ変換情報のリンク，およびトップデータを表示する機能を有する。
【００４５】
入力部３０８は、ユーザからの入力をトップデータおよび圧縮ページ画像データのファイル名に変換し、結合部３０５に送信要求する機能を有する。
【００４６】
次に、このように構成された第１の実施の形態に係る画像表示端末による簡易ホームページ閲覧システムの動作について、図１０ないし図１２のフローチャートを参照しながら説明する。
【００４７】
（１）  ホームページ作成端末１００からホームページを変換業者システム２００に登録する場合
【００４８】
初めに、ホームページ作成端末１００では、ユーザが、生成部１０１によりホームページを構成する各ページのＨＴＭＬデータを作成する（ステップＳ１０１）。
【００４９】
次に、ユーザは、登録申請部１０３から接続要求を接続部１０２を通じて変換業者システム２００に送信する（ステップＳ１０２）。
【００５０】
変換業者システム２００では、変換サーバ２０１が、接続要求を受信すると（ステップＳ２０１でイエス）、接続応答をホームページ作成端末１００に返信する（ステップＳ２０２）。
【００５１】
ホームページ作成端末１００では、登録申請部１０３が、接続部１０２を通じて接続応答を受信する（ステップＳ１０３）。
【００５２】
次に、登録申請部１０３は、ユーザＩＤおよびパスワードが登録済みであるかどうかを判定し（ステップＳ１０４）、登録済みであれば、続くステップＳ１０５およびＳ１０６をスキップする。登録済みでなければ、すなわち新規のユーザであれば、ユーザ登録要求を接続部１０２を通じて変換業者システム２００に送信する（ステップＳ１０５）。
【００５３】
変換業者システム２００では、変換サーバ２０１が、ユーザ登録要求を受信すると（ステップＳ２０３でイエス）、登録部２０２に処理を依頼する。
【００５４】
登録部２０２は、ユーザ登録データベース２０３を参照して新規のユーザであるかどうかを判定し（ステップＳ２０４）、新規のユーザであれば、ユーザＩＤおよびパスワードを生成し（ステップＳ２０５）、ユーザ登録データをユーザ登録データベース２０３に登録し（ステップＳ２０６）、しかる後にユーザＩＤおよびパスワードをホームページ作成端末１００に返信する（ステップＳ２０７）。
【００５５】
ホームページ作成端末１００では、登録申請部１０３が、変換業者システム２００からのユーザＩＤおよびパスワードを接続部１０２を通じて受信して登録する（ステップＳ１０６）。
【００５６】
次に、ユーザは、登録申請部１０３から、生成部１０１により作成したホームページを構成する各ページのＨＴＭＬデータのホームページ登録要求を接続部１０２を通じて変換業者システム２００に送信する（ステップＳ１０７）。
【００５７】
変換業者システム２００では、変換サーバ２０１が、ホームページ作成端末１００からホームページ登録要求を受信すると（ステップＳ２０８でイエス）、変換部２０４に処理を依頼する。
【００５８】
変換部２０４は、ホームページを構成する各ページのＨＴＭＬデータをブラウザで見たのと同じになるようにページ毎に１つのページ画像データに変換し、変換されたページ画像データをさらに指定された画像圧縮形式の圧縮ページ画像データに変換するとともに（ステップＳ２０９）、圧縮ページ画像データ毎にＨＴＭＬ変換情報を作成して（ステップＳ２１０）、トップデータ，ＨＴＭＬデータ，圧縮ページ画像データおよびＨＴＭＬ変換情報の４種類のデータに変換して変換データベース２０５に蓄積する（ステップＳ２１１）。
【００５９】
同時に、変換部２０４は、登録部２０２によりユーザ登録データベース２０３のユーザ登録データにおける画像サイズ，接続回数およびＨＴＭＬ変換情報のファイル名を更新する（ステップＳ２１２）。
【００６０】
また、変換部２０４は、請求部２０６によりユーザ登録データベース２０３のユーザ登録データにおける支払い状況を参照して、登録料の支払いが発生する場合には、支払い要求をホームページ作成端末１００に送信する（ステップＳ２１３）。
【００６１】
ホームページ作成端末１００では、支払い要求を接続部１０２が受信すると（ステップＳ１０８）、支払い部１０４が、支払い要求された登録料を変換業者システム２００に対して支払う（ステップＳ１０９）。
【００６２】
なお、変換業者システム２００では、変換部２０４が、定期的に、登録部２０２によりユーザ登録データベース２０３のユーザ登録データを参照して変換データベース２０５のトップデータを更新する。
【００６３】
（２）  画像表示端末３００からホームページを閲覧する場合
【００６４】
画像表示端末３００では、ユーザ（ホームページ閲覧者）は、入力部３０８から接続要求を結合部３０５および接続部３０１を通じて変換業者システム２００に送信する（ステップＳ３０１）。
【００６５】
変換業者システム２００では、変換サーバ２０１が、画像表示端末３００から接続要求を受信すると（ステップＳ２０１でイエス）、接続応答を画像表示端末３００に返信する（ステップＳ２０２）。
【００６６】
画像表示端末３００では、結合部３０５が、接続部３０１を通じて接続応答を受信する（ステップＳ３０２）。
【００６７】
次に、結合部３０５は、ユーザＩＤおよびパスワードが登録済みであるかどうかを判定し（ステップＳ３０３）、登録済みであれば、続くステップＳ３０４およびＳ３０５をスキップする。登録済みでなければ、すなわち新規のユーザであれば、ユーザ登録要求を接続部３０１を通じて変換業者システム２００に送信する（ステップＳ３０４）。
【００６８】
変換業者システム２００では、変換サーバ２０１が、画像表示端末３００からユーザ登録要求を受信すると（ステップＳ２０３でイエス）、登録部２０２に処理を依頼する。
【００６９】
登録部２０２は、ユーザ登録データベース２０３を参照して新規のユーザであれば（ステップＳ２０４でイエス）、ユーザＩＤおよびパスワードを生成し（ステップＳ２０５）、ユーザ登録データをユーザ登録データベース２０３に登録し（ステップＳ２０６）、しかる後にユーザＩＤおよびパスワードを画像表示端末３００に返信する（ステップＳ２０７）。
【００７０】
画像表示端末３００では、結合部３０５が、接続部３０１を通じてユーザＩＤおよびパスワードを受信して登録する（ステップＳ３０５）。
【００７１】
次に、ユーザが、入力部３０８からトップデータ送信要求を接続部３０１を通じて変換業者システム２００に送信する（ステップＳ３０６）。
【００７２】
変換業者システム２００では、変換サーバ２０１が、画像表示端末３００からトップデータ送信要求を受信すると（ステップＳ２１４でイエス）、変換部２０４が変換データベース２０５に格納された圧縮トップデータを画像表示端末３００に送信する（ステップＳ２１５）。
【００７３】
画像表示端末３００では、結合部３０５が、接続部３０１を通じて圧縮トップデータを受信すると（ステップＳ３０７）、復号部３０２により圧縮トップデータを復号し（ステップＳ３０７）、トップデータのページ画像を表示部３０７に表示する（ステップＳ３０８）。
【００７４】
ユーザがトップデータのユーザ名を指示することによりホームページの閲覧を要求すると（ステップＳ３１０）、結合部３０５は、圧縮ページ画像データファイル３０６に閲覧対象ホームページの先頭ページのページ画像があるかどうか（すでにダウンロードしているかどうか）を検索し（ステップＳ３１１）、すでにダウンロードしていた場合には（ステップＳ３１１でイエス）、ステップＳ３１２，Ｓ３１３およびＳ３１４をスキップする。まだダウンロードしていなかった場合には（ステップＳ３１１でノー）、結合部３０５は、閲覧対象ホームページの先頭ページのページ閲覧要求を接続部３０１を通じて変換業者システム２００に送信する（ステップＳ３１２）。
【００７５】
変換業者システム２００では、変換サーバ２０１が、画像表示端末３００からページ閲覧要求を受信すると（ステップＳ２１６）、変換部２０４は、変換データベース２０５から閲覧対象ホームページの該当ページの圧縮ページ画像データおよびＨＴＭＬ変換情報を検索し（ステップＳ２１７）、変換サーバ２０１を介して画像表示端末３００に送信する（ステップＳ２１８）。
【００７６】
画像表示端末３００では、結合部３０５が、接続部３０１を介して閲覧対象ホームページの該当データの圧縮ページ画像データおよびＨＴＭＬ変換情報を受信し圧縮ページ画像データファイル３０６に格納し（ステップＳ３１３）、副情報解析部３０３によりＨＴＭＬ変換情報から副情報解析データを作成して副情報解析データファイル３０４に格納する（ステップＳ３１４）。
【００７７】
次に、結合部３０５は、復号部３０２により閲覧対象ホームページの該当データの圧縮ページ画像データを復号し（ステップＳ３１５）、閲覧対象ホームページの該当ページのページ画像を表示部３０７に表示する（ステップＳ３１６）。
【００７８】
ユーザが該当ページのリンクページを指定することによりジャンプを指示すると（ステップＳ３１７）、結合部３０５は、副情報解析データファイル３０４からリンク先のページの副情報解析データを検索し（ステップＳ３１８）、ステップＳ３１１に制御を戻し、以下のステップを繰り返す。
【００７９】
第１の実施の形態によれば、比較的安価な画像表示端末３００でインターネット等のネットワーク４００上のホームページを閲覧することができるので、端末購入者の負担を軽減し、端末の購入者を増やすことができる。
【００８０】
また、画像圧縮形式を複数選ぶことができることから、画像表示端末３００の画像表示能力に合わせていろいろな種類の端末でホームページを閲覧することができるので、変換業者は、色々な端末からのアクセスに対して対応でき、ユーザ登録の増加にともない接続料金を多くのユーザから徴収できる。
【００８１】
さらに、閲覧できるユーザが増えることにより、ホームページ作成者が作成したコンテンツを多くのユーザに伝えることができる。
【００８２】
さらにまた、一度に数ページ分の圧縮ページ画像データを受信することが可能なので、未使用時にダウンロードしておいて、必要なときにすばやく検索することが可能であることである。
【００８３】
［第１の実施の形態の変形例１］
１．  ページ画像を必要なときに指定の画像圧縮形式に圧縮変換して圧縮ページ画像データとして送信する変形例
【００８４】
第１の実施の形態では、変換業者システム２００において、ホームページ作成端末１００の選択により画像圧縮形式を決定して事前に圧縮変換していた。この方式を、ホームページ作成端末１００から登録要求の際に指定された画像圧縮形式で圧縮変換することに変更すると、変換業者システム２００内の１ページあたりのファイル容量を減らすことができる。
【００８５】
［第１の実施の形態の変形例２］
２．  任意のホームページを閲覧する変形例
【００８６】
第１の実施の形態では、特定のホームページ作成端末１００を想定してユーザが変換業者システム２００に対して登録を要求する方式であったが、この方式を応用して任意のユーザが作成したホームページを閲覧することが可能である。
【００８７】
画像表示端末３００では、まず、結合部３０５が、ユーザから入力部３０８を通して得たＵＲＬ（Ｕｎｉｆｏｒｍ  Ｒｅｓｏｕｒｃｅ  Ｌｏｃａｔｏｒ）を接続部３０１へ転送する。
【００８８】
接続部３０１は、指定ＵＲＬのホームページの送信を変換業者システム２００に要求する。
【００８９】
変換業者システム２００では、変換サーバ２０１が、指定ＵＲＬのホームページを構成する各ページのＨＴＭＬデータをネットワーク４００を介してダウンロードし変換部２０４へ転送する。
【００９０】
変換部２０４は、接続要求のあった画像表示端末３００のユーザ登録データに基づいて画像圧縮形式を決定し、その画像圧縮形式により指定ＵＲＬのホームページを構成する各ページのＨＴＭＬデータを圧縮ページ画像データに圧縮変換する。
【００９１】
同時に、変換部２０４は、ＨＴＭＬ変換情報を作成して変換データベース２０５に保存する。
【００９２】
変換部２０４は、圧縮変換が終了した時点で圧縮ページ画像データおよびＨＴＭＬ変換情報を変換サーバ２０１を介して画像表示端末３００に送信する。
【００９３】
画像表示端末３００では、受け取った圧縮ページ画像データおよびＨＴＭＬ変換情報から任意のホームページを閲覧することができる。
【００９４】
このとき、画像表示端末３００で任意に選択したホームページであり、登録されていないので、画像表示端末３００のみが変換業者システム２００の使用料を支払う。
【００９５】
［第１の実施の形態の変形例３］
３．  入力フォーム，ラジオボタン等を実現する変形例
【００９６】
第１の実施の形態では、ホームページ作成端末１００が作成したホームページを画像表示端末３００で表示することは可能であるが、閲覧したユーザが入力して、その内容に応じてその後のホームページが変化する入力フォームやラジオボタンは実現できなかった。しかし、ＨＴＭＬ変換情報の要素を追加し、画像表示端末３００からその情報を変換業者システム２００に送ることで実現可能である。
【００９７】
図１３は、ＨＴＭＬ変換情報を機能拡張した拡張ＨＴＭＬ変換情報の内容を示す図である。拡張ＨＴＭＬ変換情報は、図７に示したＨＴＭＬ変換情報に対して、インデックスとして拡張情報が追加されている。
【００９８】
変換業者システム２００では、変換部２０４が、入力フォームやラジオボタンが存在するページであることを認識すると、ＨＴＭＬ変換情報に専用のインデックスを設け、圧縮ページ画像データとともに拡張ＨＴＭＬ変換情報を画像表示端末３００に送信する。
【００９９】
画像表示端末３００では、結合部３０５が、受信した圧縮ページ画像データを表示部３０７に表示するとともに、拡張ＨＴＭＬ変換情報に入力フォームやラジオボタンのインデックスがあることを認識すると、そのデータを入力部３０８に転送し、入力部３０８からのユーザ入力を受け付ける。
【０１００】
入力部３０８からのユーザ入力が完了した後、結合部３０５は、ＨＴＭＬ変換情報内の入力フォームやラジオボタンの拡張情報をユーザからのユーザ入力データとしてインデックス欄に挿入し、そのＨＴＭＬ変換情報を接続部３０１を介して変換業者システム２００へ送信する。
【０１０１】
変換業者システム２００では、変換部２０４が、変換サーバ２０１により受信されたＨＴＭＬ変換情報内のインデックス欄に記述された入力フォームやラジオボタンの情報を元に該当するホームページにアクセスして結果をダウンロードし、画像表示端末３００で表示できる画像圧縮形式に圧縮ページ画像データを圧縮変換してＨＴＭＬ変換情報を改めて作成し、圧縮ページ画像データおよびＨＴＭＬ変換情報を画像表示端末３００に送信する。
【０１０２】
画像表示端末３００では、結合部３０５が、受信した圧縮ページ画像データおよびＨＴＭＬ変換情報を基に入力フォームやラジオボタンにユーザ入力データが反映されたホームページを表示部３０７に表示する。
【０１０３】
［第２の実施の形態］
図１４は、本発明の第２の実施の形態に係る画像表示端末による簡易ホームページ閲覧システムの構成を示すブロック図である。本実施の形態に係る画像表示端末による簡易ホームページ閲覧システムは、図１に示した第１の実施の形態に係る画像表示端末による簡易ホームページ閲覧システムの変換業者システム２００に対して変換業者プログラム５００を付加するようにした点だけが異なる。したがって、その他の特に言及しない部分には同一符号を付してそれらの詳しい説明を省略する。
【０１０４】
変換業者プログラム５００は、コンピュータでなる変換業者システム２００に読み込まれ、変換業者システム２００の動作を、変換サーバ２０１，登録部２０２，ユーザ登録データベース２０３，変換部２０４，変換データベース２０５，および請求部２０６として制御する。変換業者プログラム５００の制御による変換業者システム２００の動作は、第１の実施の形態における変換業者システム２００の動作と全く同様になるので、その詳しい説明を割愛する。
【０１０５】
【発明の効果】
第１の効果は、安価な画像表示端末でインターネット上のホームページを閲覧することができるので、端末購入者の負担を軽減し、端末の購入者を増やすことができることである。
【０１０６】
第２の効果は、画像の形式を複数選ぶことができることから、画像表示端末の画像表示能力に合わせていろいろな種類の端末で閲覧することができるので、変換業者は、色々な端末からのアクセスに対して対応でき、ユーザ登録数の増加にともない閲覧料を多くのユーザから徴収できることである。
【０１０７】
第３の効果は、閲覧できるユーザが増えることにより、ホームページ作成者が作成したコンテンツを多くのユーザに伝えることができることである。
【０１０８】
第４の効果は、一度に数ページ分のページデータを受信することが可能なので、未使用時にダウンロードしておいて、必要なときにすばやく検索することが可能であることである。
【図面の簡単な説明】
【図１】本発明の第１の実施の形態に係る画像表示端末による簡易ホームページ閲覧システムの構成を示すブロック図である。
【図２】図１中のホームページ作成端末のより詳しい構成を示すブロック図である。
【図３】図１中の変換業者システムのより詳しい構成を示すブロック図である。
【図４】図１中の画像表示端末のより詳しい構成を示すブロック図である。
【図５】図３中のユーザ登録データベースに登録されているユーザ登録データの内容を示す図である。
【図６】図３中の変換データベースに格納されているトップデータの内容を示す図である。
【図７】図３中の変換データベースに格納されているＨＴＭＬ変換情報の内容を示す図である。
【図８】図３中の変換データベースに格納されている圧縮ページ画像データの内容を示す図である。
【図９】図４中の副情報解析データファイルに格納されている副情報解析データの内容を示す図である。
【図１０】図２中のホームページ作成端末の処理を示すフローチャートである。
【図１１】図３中の変換業者システムの処理を示すフローチャートである。
【図１２】図４中の画像表示端末の処理を示すフローチャートである。
【図１３】図７に示したＨＴＭＬ変換情報を機能拡張した拡張ＨＴＭＬ変換情報の内容を示す図である。
【図１４】本発明の第２の実施の形態に係る画像表示端末による簡易ホームページ閲覧システムの構成を示すブロック図である。
【符号の説明】
１００  ホームページ作成端末
１０１  ホームページ生成部
１０２  接続部
１０３  登録申請部
１０４  支払い部
２００  変換業者システム
２０１  変換サーバ
２０２  請求部
２０３  変換部
２０４  変換データベース
２０５  登録部
２０６  ユーザ登録データベース
３００  画像表示端末
３０１  復号部
３０２  接続部
３０３  副情報解析部
３０４  副情報解析データファイル
３０５  結合部
３０６  圧縮ページ画像データファイル
３０７  表示部
３０８  入力部
４００  ネットワーク
【図１】
2004246565.tif 000003
【図２】
2004246565.tif 000004
【図３】
2004246565.tif 000005
【図４】
2004246565.tif 000006
【図５】
2004246565.tif 000007
【図６】
2004246565.tif 000008
【図７】
2004246565.tif 000009
【図８】
2004246565.tif 000010
【図９】
2004246565.tif 000011
【図１０】
2004246565.tif 000012
【図１１】
2004246565.tif 000013
【図１２】
2004246565.tif 000014
【図１３】
2004246565.tif 000015
【図１４】
2004246565.tif 000016